(57)【要約】【課題】汎用サーバを用いて容易かつ安価に構築することができるネットワーク自動交換システムを提供することを目的とする。【解決手段】ネットワーク１に接続されファイルの転送および保管が可能な汎用的なサーバ２と、ネットワーク１に接続された複数のＩＰ電話機３、４とを有するシステムであって、ＩＰ電話機３、４は、ネットワーク１に接続されネットワーク１とのインタフェースを司るインタフェース部５と、インタフェース部５に接続され特定の呼接続手順に従って呼の発着等の制御を行う呼制御部６と、音声信号のアナログ・デジタル変換や圧縮伸張を行う音声処理部７と、サーバ２とのファイルの送受信を管理するファイル管理部８とを有し、ＩＰ電話機３、４は、自分のネットワークアドレス等のネットワーク情報を自分の内線番号等の固有なファイル名でサーバ２に転送する。【選択図】　図１
2004048239.tif 000002
【特許請求の範囲】
【請求項１】
ネットワークに接続されファイルの転送および保管が可能な汎用的なサーバと、ネットワークに接続された複数のＩＰ電話機とを有するネットワーク自動交換システムであって、
前記ＩＰ電話機は、前記ネットワークに接続され前記ネットワークとのインタフェースを司るインタフェース部と、前記インタフェース部に接続され特定の呼接続手順に従って呼の発着等の制御を行う呼制御部と、音声信号のアナログ・デジタル変換や圧縮伸張を行う音声処理部と、前記サーバとのファイルの送受信を管理するファイル管理部とを有し、
前記ＩＰ電話機は、自分のネットワークアドレス等のネットワーク情報を自分の内線番号等の固有なファイル名で前記サーバに転送することを特徴とするネットワーク自動交換システム。
【請求項２】
前記ＩＰ電話機は、前記サーバより取得したネットワーク情報ファイルを一時的に保管しておくファイル保管部を備えたことを特徴とする請求項１に記載のネットワーク自動交換システム。
【請求項３】
前記ＩＰ電話機は、不在転送や着信拒否等の呼に関する付加サービスを提供する付加サービス呼制御部を備えたことを特徴とする請求項１に記載のネットワーク自動交換システム。
【請求項４】
前記ＩＰ電話機は、自分のネットワークアドレス等のネットワーク情報や呼に関する付加サービスの設定情報に変更があった際に、自動的に前記サーバ上の自己情報を書き換える自動情報更新部を備えたことを特徴とする請求項１に記載のネットワーク自動交換システム。
【請求項５】
前記ＩＰ電話機は、前記音声処理部でデータ化された音声信号をファイル化して前記サーバに転送する音声データ管理部を備えたことを特徴とする請求項１に記載のネットワーク自動交換システム。
【発明の詳細な説明】
【０００１】
【発明の属する技術分野】
本発明は、ネットワークに接続され、ファイルの転送および保管が可能なＦＴＰ（Ｆｉｌｅ　Ｔｒａｎｓｆｅｒ　Ｐｒｏｔｏｃｏｌ）サーバや、ＨＴＴＰ（ＨｙｐｅｒＴｅｘｔ　Ｔｒａｎｓｆｅｒ　Ｐｒｏｔｏｃｏｌ）サーバ等の汎用的なサーバと、ネットワークに接続された複数のＩＰ電話機とを有するネットワーク自動交換システムに関するものである。
【０００２】
【従来の技術】
基本的に、従来のネットワーク自動交換システムは、ＳＩＰ（ＳｅｓｓｉｏｎＩｎｉｔｉａｔｉｏｎ　Ｐｒｏｔｏｃｏｌ）やＭＧＣＰ（Ｍｅｄｉａ　Ｇａｔｅｗａｙ　Ｃｏｎｔｒｏｌ　Ｐｒｏｔｏｃｏｌ）に代表される他電話機との呼接続手順を実装したネットワーク上のＩＰ電話機と、内線番号−ネットワークアドレス変換機能、状態管理機能、当該呼接続手順に対応した呼制御機能等を実装したネットワーク上の呼接続サーバとから構成される。ＩＰ電話機間の通話は、当該呼接続手順に従って、呼接続サーバを通して確立される。
【０００３】
図７は従来のネットワーク自動交換システムを示すブロック図である。
【０００４】
図７において、１はＩＰ技術を用いたＩＰネットワークに代表されるようなネットワーク、３、４はＩＰ電話機、５はネットワーク１とのインタフェースを司るインタフェース部、６はＳＩＰと呼ばれる呼接続手順に従って呼の発着等の制御を行う呼制御部、７は音声のアナログ・デジタル変換や圧縮伸張等を行う音声処理部、１３はＳＩＰ呼接続手順に対応した呼接続サーバ、６００はネットワーク自動交換システムである。
【０００５】
このように構成されたネットワーク自動交換システム６００について、その動作を図８を用いて説明する。図８は図７のネットワーク自動交換システム６００の動作を示すシーケンス図である。ここでは、代表的な呼接続手順であるＳＩＰを例にとって説明する。
【０００６】
ネットワーク自動交換システム６００において、ＩＰ電話機３からＩＰ電話機４に発呼する場合、呼制御部６より、インタフェース部５を通して、図８に示すＳＩＰ呼接続手順によりＩＰ電話機４との接続を確立し、呼制御部６の指示に基づき、音声処理部７により音声通信が開始される。
【０００７】
図８のＳＩＰ呼接続手順について説明する。ＩＰ電話機３において内線番号が押下され、ＩＰ電話機３からＩＰ電話機４へ発呼する場合、ＩＰ電話機３から、呼接続サーバ１３に対して、ＩＰ電話機４への内線番号での接続要求が送信される（Ｓ１１）。呼接続サーバ１３は、内線番号からＩＰ電話機４のネットワーク情報を検索し、その検索したネットワーク情報をＩＰ電話機３に返信する（Ｓ１２）。ＩＰ電話機３は呼接続サーバ１３に、ＩＰ電話機４のネットワーク情報を受け取ったことを表すメッセージを送信し（Ｓ１３）、そのＩＰ電話機４のネットワーク情報を元に、ＩＰ電話機４に対して接続要求を送信し（Ｓ１４）、ＩＰ電話機４との接続を確立する（Ｓ１５）。
【０００８】
【発明が解決しようとする課題】
しかしながら、上記従来のネットワーク自動交換システムでは、呼接続サーバは使用する呼接続手順に対応した専用装置である必要があるため、特殊なハードウェアを使用している場合が多く、非常に高価であり、汎用性がないという問題点を有していた。
【０００９】
このネットワーク自動交換システムでは、ファイルの転送および保管が可能なＦＴＰサーバ・ＨＴＴＰサーバ等の汎用的なサーバ（汎用サーバ）を呼接続サーバに代えて用いて、ネットワーク自動交換システムを容易かつ安価に構築することが要求されている。
【００１０】
本発明は、この要求を満たすため、汎用サーバを用いて容易かつ安価に構築することができるネットワーク自動交換システムを提供することを目的とする。
【００１１】
【課題を解決するための手段】
この課題を解決するために本発明のネットワーク自動交換システムは、ネットワークに接続されファイルの転送および保管が可能な汎用的なサーバと、ネットワークに接続された複数のＩＰ電話機とを有するネットワーク自動交換システムであって、ＩＰ電話機は、ネットワークに接続されネットワークとのインタフェースを司るインタフェース部と、インタフェース部に接続され特定の呼接続手順に従って呼の発着等の制御を行う呼制御部と、音声信号のアナログ・デジタル変換や圧縮伸張を行う音声処理部と、サーバとのファイルの送受信を管理するファイル管理部とを有し、ＩＰ電話機は、自分のネットワークアドレス等のネットワーク情報を自分の内線番号等の固有なファイル名でサーバに転送する構成を備えている。
【００１２】
これにより、汎用サーバを用いて容易かつ安価に構築することができるネットワーク自動交換システムが得られる。
【００１３】
【発明の実施の形態】
本発明の請求項１に記載のネットワーク自動交換システムは、ネットワークに接続されファイルの転送および保管が可能な汎用的なサーバと、ネットワークに接続された複数のＩＰ電話機とを有するネットワーク自動交換システムであって、ＩＰ電話機は、ネットワークに接続されネットワークとのインタフェースを司るインタフェース部と、インタフェース部に接続され特定の呼接続手順に従って呼の発着等の制御を行う呼制御部と、音声信号のアナログ・デジタル変換や圧縮伸張を行う音声処理部と、サーバとのファイルの送受信を管理するファイル管理部とを有し、ＩＰ電話機は、自分のネットワークアドレス等のネットワーク情報を自分の内線番号等の固有なファイル名でサーバに転送することとしたものである。
【００１４】
この構成により、汎用的なサーバ（汎用サーバ）は、すべてのＩＰ電話機のネットワーク情報を含むネットワーク情報ファイルを内線番号等の固有なファイル名のファイル群として管理することができ、発呼元のＩＰ電話機は、発呼先のＩＰ電話機のネットワーク情報ファイルを汎用サーバより内線番号等の固有なファイル名で取得することができるので、ネットワーク情報ファイルのネットワーク情報をもとに自動的に発呼先ＩＰ電話機との呼を確立することができるという作用を有する。
【００１５】
請求項２に記載のネットワーク自動交換システムは、請求項１に記載のネットワーク自動交換システムにおいて、ＩＰ電話機は、サーバより取得したネットワーク情報ファイルを一時的に保管しておくファイル保管部を備えることとしたものである。
【００１６】
この構成により、ＩＰ電話機は、一度サーバから取得したネットワーク情報ファイルを一時的にファイル保管部に保管しておき、発呼時にファイル保管部に対して必要なネットワーク情報ファイルが有るか否かを確認することができるので、ファイル保管部に無い場合のみにサーバへ取得しにいくことにより、サーバへのファイル取得アクセス回数を軽減することができ、サーバの処理能力の確保やネットワーク帯域の確保を図ることができるという作用を有する。
【００１７】
請求項３に記載のネットワーク自動交換システムは、請求項１に記載のネットワーク自動交換システムにおいて、ＩＰ電話機は、不在転送や着信拒否等の呼に関する付加サービスを提供する付加サービス呼制御部を備えることとしたものである。
【００１８】
この構成により、ＩＰ電話機は、サーバに転送する情報としてネットワーク情報の他に付加サービスの設定情報を加え、必要な相手先の設定情報を相手の内線番号等の固有なファイル名から取得して参照することができるので、呼に関する付加サービスを実現することができるという作用を有する。
【００１９】
請求項４に記載のネットワーク自動交換システムは、請求項１に記載のネットワーク自動交換システムにおいて、ＩＰ電話機は、自分のネットワークアドレス等のネットワーク情報や呼に関する付加サービスの設定情報に変更があった際に、自動的にサーバ上の自己情報を書き換える自動情報更新部を備えることとしたものである。
【００２０】
この構成により、ＩＰ電話機によりサーバ上の情報を自動的に最新の情報に更新することができるという作用を有する。
【００２１】
請求項５に記載のネットワーク自動交換システムは、請求項１に記載のネットワーク自動交換システムにおいて、ＩＰ電話機は、音声処理部でデータ化された音声信号をファイル化してサーバに転送する音声データ管理部を備えることとしたものである。
【００２２】
この構成により、ＩＰ電話機は音声ファイルをサーバとの間で送受信することができるので、ボイスメール機能を実現することができるという作用を有する。
【００２３】
以下、本発明の実施の形態について図１〜図６を参照しながら説明する。
【００２４】
（実施の形態１）
図１は、本発明の実施の形態１によるネットワーク自動交換システムを示すブロック図である。
【００２５】
図１において、ネットワーク１、ＩＰ電話機３、４、インタフェース部５、呼制御部６、音声処理部７は図７と同様のものなので、同一符号を付し、説明は省略する。２はＦＴＰサーバ・ＨＴＴＰサーバ等の汎用的なサーバ（汎用サーバ）、８は汎用サーバ２との間におけるファイルの送受信を管理するファイル管理部、１００はネットワーク自動交換システムである。
【００２６】
このように構成されたネットワーク自動交換システム１００について、その動作を図２を用いて説明する。図２は図１のネットワーク自動交換システム１００の動作を示すシーケンス図である。なお、汎用サーバ２はＦＴＰサーバであるとする。
【００２７】
ＩＰ電話機３およびＩＰ電話機４は電源投入時、汎用サーバ２に対し、自分のネットワーク情報（自ネットワーク情報）を自分の内線番号（自内線番号）等のような他のＩＰ電話機からも識別可能な固有なファイル名でファイル化し、転送しておく（Ｓ１、Ｓ２、Ｓ３、Ｓ４）。ＩＰ電話機３においてＩＰ電話機４の内線番号が押下されてＩＰ電話機３からＩＰ電話機４に対して発呼する場合、呼制御部６は、ファイル管理部８を通して、発呼先ＩＰ電話機４の内線番号に対応するファイルを汎用サーバ２から受信し、発呼先ＩＰ電話機４のネットワーク情報を取得する（Ｓ５、Ｓ６）。これにより、呼制御部６は、ＩＰ電話機４に対してＳＩＰやＭＧＣＰなどに代表される特定の呼接続手順もしくは独自の呼接続手順を利用してＩＰ電話機間の接続を確立し（Ｓ７、Ｓ８）、呼制御部６から音声処理部７に処理開始を指示することにより音声通信が開始される。
【００２８】
以上のように本実施の形態によれば、ＩＰ電話機３、４は、ネットワークに接続されネットワークとのインタフェースを司るインタフェース部５と、インタフェース部５に接続され特定の呼接続手順に従って呼の発着等の制御を行う呼制御部６と、音声信号のアナログ・デジタル変換や圧縮伸張を行う音声処理部７と、サーバ２とのファイルの送受信を管理するファイル管理部８とを有し、ＩＰ電話機３、４は、自分のネットワークアドレス等のネットワーク情報を自分の内線番号等の固有なファイル名でサーバ２に転送することにより、汎用的なサーバ（汎用サーバ）２は、すべてのＩＰ電話機３、４のネットワーク情報を含むネットワーク情報ファイルを内線番号等の固有なファイル名のファイル群として管理することができ、発呼元のＩＰ電話機は、発呼先のＩＰ電話機のネットワーク情報ファイルを汎用サーバ２より内線番号等の固有なファイル名で取得することができるので、ネットワーク情報ファイルのネットワーク情報をもとに自動的に発呼先ＩＰ電話機との呼を確立することができる。
【００２９】
（実施の形態２）
図３は本発明の実施の形態２によるネットワーク自動交換システムを示すブロック図である。
【００３０】
図３において、ネットワーク１、汎用サーバ２、ＩＰ電話機３、４、インタフェース部５、呼制御部６、音声処理部７、ファイル管理部８は図１と同様のものなので、同一符号を付し、説明は省略する。９は汎用サーバ１より取得したネットワーク情報ファイルを一時的に保管しておくファイル保管部、２００はネットワーク自動交換システムである。
【００３１】
このように構成されたネットワーク自動交換システム２００について、その動作を説明する。
【００３２】
実施の形態１の場合と同様に、ＩＰ電話機３においてＩＰ電話機４の内線番号が押下されてＩＰ電話機３からＩＰ電話機４に対して発呼する場合、呼制御部６は、ファイル管理部８を通して、発呼先ＩＰ電話機４の内線番号に対応するファイルを汎用サーバ２から受信し、発呼先ＩＰ電話機４のネットワーク情報を取得する。しかし、同じ発呼先に対して複数回発呼する場合は、毎回ファイル受信を行うことになるため、ファイル受信による呼接続までの遅延が無駄である。また、大規模なシステムの場合、汎用サーバ２へのアクセス回数増加による処理能力への悪影響、ネットワーク１の帯域確保の問題などが懸念される。これを緩和防止するため、一端受信したネットワーク情報ファイルをファイル保管部９に一定時間保管し、発呼毎にファイル保管部９に必要なネットワーク情報ファイルが有るか否かを確認し、有ればこのファイルを使用し、無ければ汎用サーバ２からファイルの受信を行う。
【００３３】
以上のように本実施の形態によれば、ＩＰ電話機３、４は、サーバ２より取得したネットワーク情報ファイルを一時的に保管しておくファイル保管部９を備えたことにより、ＩＰ電話機３、４は、一度サーバ２から取得したネットワーク情報ファイルを一時的にファイル保管部９に保管しておき、発呼時にファイル保管部９に対して必要なネットワーク情報ファイルが有るか否かを確認することができるので、ファイル保管部９に無い場合のみにサーバ２へ取得しにいくことにより、サーバ２へのファイル取得アクセス回数を軽減することができ、サーバ２の処理能力の確保やネットワーク帯域の確保を図ることができる。
【００３４】
（実施の形態３）
図４は、本発明の実施の形態３によるネットワーク自動交換システムを示すブロック図である。
【００３５】
図４において、ネットワーク１、汎用サーバ２、ＩＰ電話機３、４、インタフェース部５、呼制御部６、音声処理部７、ファイル管理部８は図１と同様のものなので、同一符号を付し、説明は省略する。１０は不在転送や着信拒否等の呼に関する付加サービスを提供する付加サービス呼制御部、３００はネットワーク自動交換システムである。
【００３６】
このように構成されたネットワーク自動交換システム３００について、その動作を説明する。
【００３７】
汎用サーバ２に転送するファイル情報として、ネットワーク情報の他に、不在転送の転送先や着信拒否といった付加サービスの設定情報を追加する。ここでは着信拒否サービスを例に説明する。実施の形態１の場合と同様に、ＩＰ電話機３においてＩＰ電話機４の内線番号が押下されてＩＰ電話機３からＩＰ電話機４に対して発呼する場合、呼制御部６は、ファイル管理部８を通して、発呼先ＩＰ電話機４の内線番号に対応するファイルを汎用サーバ２から受信する。受信されたファイルには、発呼先ＩＰ電話機４のネットワーク情報のほかに着信拒否等の付加サービス設定情報が含まれている。呼制御部６は、その付加サービス設定情報を付加サービス呼制御部１０に送り、付加サービス呼制御部１０は、もし着信拒否が設定されていた場合は、呼制御部６にＩＰ電話機４に対する発呼をしない旨の通知を出し、呼制御部６が発呼を実際行わないことにより着信拒否機能を実現する。
【００３８】
以上のように本実施の形態によれば、ＩＰ電話機３、４は、不在転送や着信拒否等の呼に関する付加サービスを提供する付加サービス呼制御部１０を備えたことにより、ＩＰ電話機３、４は、サーバ２に転送する情報としてネットワーク情報の他に付加サービスの設定情報を加え、必要な相手先の設定情報を相手の内線番号等の固有なファイル名から取得して参照することができるので、呼に関する付加サービスを実現することができる。
【００３９】
（実施の形態４）
図５は、本発明の実施の形態４によるネットワーク自動交換システムを示すブロック図である。
【００４０】
図５において、ネットワーク１、汎用サーバ２、ＩＰ電話機３、４、インタフェース部５、呼制御部６、音声処理部７、ファイル管理部８は図１と同様のものなので、同一符号を付し、説明は省略する。１１は自分自身のネットワークアドレス等のネットワーク情報や、呼に関する付加サービス設定情報に変更があった際に、自動的に汎用サーバ２の情報を書き換える自動情報更新部、４００はネットワーク自動交換システムである。
【００４１】
このように構成されたネットワーク自動交換システム４００について、その動作を説明する。
【００４２】
ＩＰ電話機３およびＩＰ電話機４において、自動情報更新部１１が自ＩＰ電話機のネットワーク情報や付加サービス設定情報を管理しており、運用中にネットワークアドレス等のネットワーク情報の変更があった場合や、ＤＨＣＰ汎用サーバに代表されるネットワークアドレス等のネットワーク情報を配信する汎用サーバによりネットワーク情報を取得した場合もしくは途中で変更した場合、付加サービスの設定変更があった場合は、自動情報更新部１１は、情報の更新を検知し、汎用サーバ２に対し、自ネットワーク情報および付加サービス設定情報を自内線番号等のような他のＩＰ電話機からも識別可能な固有なファイル名でファイル化し、自動的に転送する。これにより、情報の変更が発生しても、自動的に情報の更新が行われ、利用者が情報更新作業を行う必要がなくなる。
【００４３】
以上のように本実施の形態によれば、ＩＰ電話機３、４は、自分のネットワークアドレス等のネットワーク情報や呼に関する付加サービスの設定情報に変更があった際に、自動的にサーバ上の自己情報を書き換える自動情報更新部１１を備えたことにより、ＩＰ電話機３、４によりサーバ２上の情報を自動的に最新の情報に更新することができる。
【００４４】
（実施の形態５）
図６は、本発明の実施の形態５によるネットワーク自動交換システムを示すブロック図である。
【００４５】
図６において、ネットワーク１、汎用サーバ２、ＩＰ電話機３、４、インタフェース部５、呼制御部６、音声処理部７、ファイル管理部８は図１と同様のものなので、同一符号を付し、説明は省略する。１２は音声処理部７でデータ化された音声信号をファイル化し、汎用サーバ２に転送する音声データ管理部、５００はネットワーク自動交換システムである。
【００４６】
このように構成されたネットワーク自動交換システム５００について、その動作を説明する。
【００４７】
ＩＰ電話機３が、ＩＰ電話機４が不在もしくは通話中等の理由により、ＩＰ電話機４に対して音声メッセージを送りたい場合、送りたい音声メッセージを音声処理部７によりデジタル化し、そのデジタルデータを音声データ管理部１２に送り、音声データ管理部１２において音声メッセージをファイル化する。汎用サーバ２では、内線毎に音声データを入れるディレクトリを用意しておき、ＩＰ電話機３のファイル管理部８が、送信したい相手先であるＩＰ電話機４のディレクトリに音声ファイルを転送する。ＩＰ電話機４では、音声データ管理部１２が、必要に応じて自分のディレクトリをアクセスし、ファイル管理部８を通して音声ファイルの有無を確認し、もし音声ファイルがあれば、ファイル管理部８が汎用サーバ２より受信し、受信した音声ファイルデータを音声処理部７より再生することによりボイスメール機能を実現する。
【００４８】
以上のように本実施の形態によれば、ＩＰ電話機３、４は、音声処理部７でデータ化された音声信号をファイル化してサーバに転送する音声データ管理部１２を備えたことにより、ＩＰ電話機３、４は音声ファイルをサーバ２との間で送受信することができるので、ボイスメール機能を実現することができる。
【００４９】
【発明の効果】
以上説明したように本発明の請求項１に記載のネットワーク自動交換システムによれば、ネットワークに接続されファイルの転送および保管が可能な汎用的なサーバと、ネットワークに接続された複数のＩＰ電話機とを有するネットワーク自動交換システムであって、ＩＰ電話機は、ネットワークに接続されネットワークとのインタフェースを司るインタフェース部と、インタフェース部に接続され特定の呼接続手順に従って呼の発着等の制御を行う呼制御部と、音声信号のアナログ・デジタル変換や圧縮伸張を行う音声処理部と、サーバとのファイルの送受信を管理するファイル管理部とを有し、ＩＰ電話機は、自分のネットワークアドレス等のネットワーク情報を自分の内線番号等の固有なファイル名でサーバに転送することにより、汎用的なサーバ（汎用サーバ）は、すべてのＩＰ電話機のネットワーク情報を含むネットワーク情報ファイルを内線番号等の固有なファイル名のファイル群として管理することができ、発呼元のＩＰ電話機は、発呼先のＩＰ電話機のネットワーク情報ファイルを汎用サーバより内線番号等の固有なファイル名で取得することができるので、ネットワーク情報ファイルのネットワーク情報をもとに自動的に発呼先ＩＰ電話機との呼を確立することができるという有利な効果が得られる。
【００５０】
請求項２に記載のネットワーク自動交換システムによれば、請求項１に記載のネットワーク自動交換システムにおいて、ＩＰ電話機は、サーバより取得したネットワーク情報ファイルを一時的に保管しておくファイル保管部を備えたことにより、ＩＰ電話機は、一度サーバから取得したネットワーク情報ファイルを一時的にファイル保管部に保管しておき、発呼時にファイル保管部に対して必要なネットワーク情報ファイルが有るか否かを確認することができるので、ファイル保管部に無い場合のみにサーバへ取得しにいくことにより、サーバへのファイル取得アクセス回数を軽減することができ、サーバの処理能力の確保やネットワーク帯域の確保を図ることができるという有利な効果が得られる。
【００５１】
請求項３に記載のネットワーク自動交換システムによれば、請求項１に記載のネットワーク自動交換システムにおいて、ＩＰ電話機は、不在転送や着信拒否等の呼に関する付加サービスを提供する付加サービス呼制御部を備えたことにより、ＩＰ電話機は、サーバに転送する情報としてネットワーク情報の他に付加サービスの設定情報を加え、必要な相手先の設定情報を相手の内線番号等の固有なファイル名から取得して参照することができるので、呼に関する付加サービスを実現することができるという有利な効果が得られる。
【００５２】
請求項４に記載のネットワーク自動交換システムによれば、請求項１に記載のネットワーク自動交換システムにおいて、ＩＰ電話機は、自分のネットワークアドレス等のネットワーク情報や呼に関する付加サービスの設定情報に変更があった際に、自動的にサーバ上の自己情報を書き換える自動情報更新部を備えたことにより、ＩＰ電話機によりサーバ上の情報を自動的に最新の情報に更新することができるという有利な効果が得られる。
【００５３】
請求項５に記載のネットワーク自動交換システムによれば、請求項１に記載のネットワーク自動交換システムにおいて、ＩＰ電話機は、音声処理部でデータ化された音声信号をファイル化してサーバに転送する音声データ管理部を備えたことにより、ＩＰ電話機は音声ファイルをサーバとの間で送受信することができるので、ボイスメール機能を実現することができるという有利な効果が得られる。
【図面の簡単な説明】
【図１】本発明の実施の形態１によるネットワーク自動交換システムを示すブロック図
【図２】図１のネットワーク自動交換システムの動作を示すシーケンス図
【図３】本発明の実施の形態２によるネットワーク自動交換システムを示すブロック図
【図４】本発明の実施の形態３によるネットワーク自動交換システムを示すブロック図
【図５】本発明の実施の形態４によるネットワーク自動交換システムを示すブロック図
【図６】本発明の実施の形態５によるネットワーク自動交換システムを示すブロック図
【図７】従来のネットワーク自動交換システムを示すブロック図
【図８】図７のネットワーク自動交換システムの動作を示すシーケンス図
【符号の説明】
１　ネットワーク
２　サーバ（汎用的なサーバ、汎用サーバ、ＦＴＰサーバ）
３、４　ＩＰ電話機
５　インタフェース部
６　呼制御部
７　音声処理部
８　ファイル管理部
９　ファイル保管部
１０　付加サービス呼制御部
１１　自動情報更新部
１２　音声データ管理部
１００、２００、３００、４００、５００　ネットワーク自動交換システム
【図１】
2004048239.tif 000003
【図２】
2004048239.tif 000004
【図３】
2004048239.tif 000005
【図４】
2004048239.tif 000006
【図５】
2004048239.tif 000007
【図６】
2004048239.tif 000008
【図７】
2004048239.tif 000009
【図８】
2004048239.tif 000010